【事件の表示】
　特願２０１３−　３５８９８号「遊技機」拒絶査定不服審判事件〔平成２６年９月８日出願公開、特開２０１４−１６１５４３号〕について、次のとおり審決する。
【結　論】
　本件審判の請求は、成り立たない。
【理　由】
第１　手続の経緯
　本願は、平成２５年２月２６日の出願であって、平成２８年１０月１４日付けで拒絶の理由が通知され、同年１２月１５日に意見書及び手続補正書が提出され、平成２９年４月２６日付けで最後の拒絶の理由が通知され、同年６月２９日に意見書及び手続補正書が提出されたところ、同年１１月１４日付けで、同年６月２９日付け手続補正が却下されるとともに拒絶査定がなされ、それに対して、平成３０年２月１４日に拒絶査定不服審判の請求がなされると同時に手続補正がなされ、これに対し、当審において、同年１０月１７日付けで拒絶の理由が通知され、同年１２月１４日に意見書及び手続補正書が提出されたものである。
第２　本願発明
　本願の請求項１〜２に係る発明は、平成３０年１２月１４日になされた手続補正により補正された特許請求の範囲の請求項１〜２に記載されたとおりのものであるところ、その請求項１に係る発明（以下「本願発明」という。）は、次のとおりのものである（Ａ〜Ｆは、本願発明を分説するために当審で付与した。）。
「【請求項１】
Ａ　遊技を統括的に制御する主制御手段と、該主制御手段から送信される制御指令に基づいて演出態様を決定して変動表示ゲームを実行する従制御手段と、遊技者が操作可能な操作手段と、を備える遊技機であって、
Ｂ　前記従制御手段は、外部装置に情報を伝達することが可能であり、
Ｃ　前記情報には、少なくとも前記演出態様に関する情報と、前記操作手段が操作されたことを示す情報と、演出による当該遊技機への負荷に関する情報と、を含み、
Ｄ　前記演出態様に関する情報には、前記変動表示ゲームを複数に分割した各期間の進行に対応する情報を含み、
Ｅ　前記操作手段が操作されたことを示す情報は、前記操作手段が操作されたタイミングに対応して変化する情報であり、
Ｆ　前記演出による当該遊技機への負荷に関する情報は、負荷に関する複数のパラメータ毎に独立した情報であることを特徴とする
Ｇ　遊技機。」
第３　当審拒絶理由の概要
　平成３０年１０月１７日付けの当審における拒絶の理由の概要は、以下の通りである。
　
（進歩性）本件出願の請求項１に記載された発明（以下、「本願発明」という。）は、その出願前に日本国内又は外国において、頒布された下記の刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。 
 　　　　　　　　　　　　　　　　　記 
●理由（進歩性）について 
・本願発明について 
・引用例　１〜４ 
引用例１：特許第５０１４７２２号公報 
引用例２：特開２０１１−２０６４６８号公報
引用例３：特開２００８−２３３７３号公報（周知技術を示す文献） 
引用例４：特開２００５−１６０５６１号公報（周知技術を示す文献） 
第４　引用例に記載された事項
１　引用例１
　当審における拒絶の理由（平成３０年１０月１７日付け拒絶理由通知書）に引用例１として引用された本願の出願日前に頒布された特許第５０１４７２２号公報（以下「引用例１」という。）には、図面とともに次の事項が記載されている（下線は当審で付した。以下同じ。）。
（ア）「【００１９】
　図１は、本発明を遊技機に適用した
パチンコ遊技機１
遊技中に遊技者操作を演出に関与させる左・中・右ボタン３Ｌ，３Ｃ，３Ｒから成る遊技者操作スイッチ３０を備える
【００２０】
　遊技盤２には、次の１）〜６）の遊技部品を備える。
１）センターユニット７
　このユニット７は、飾り枠７１の中央部に、次記始動口８１，８２への始動入賞を契機に起動する特別役たる大当りの内部抽選の当否結果を所定の導出演出を経て導出させる演出装置７０を具備する。この
演出装置７０は、カラー液晶表示器から成る画像演出部７Ａと、可動式のピストルフィギア７ｐと回転式のミニドラム７ｒとをもつ実動作演出部７Ｂとを含む
（イ）「【００３２】
　
主制御部ＭＣから
大当りの内部抽選結果等
の各種抽選結果に基づいて生成した演出パターンコマンドを
送信
し
周辺制御部ＳＣ１
では
演出パターンコマンドを受信して、演出パターン番号等に従った演出制御のみを専ら受け持っている
【００３３】
　
主制御部ＭＣ
は、大当り抽選処理等の遊技の主制御を担う
【００３４】
　第１周辺制御部ＳＣ１からは、ドライバ回路Ｄｒ１を介して、画像演出部７Ａ並びに実動作演出部７Ｂにおけるピストルフィギア７ｐを駆動するステッピングモータ等の駆動源７ｍ、同ミニドラム７ｒを駆動するステッピングモータ等の駆動源７ｎを制御している。
第２周辺制御部ＳＣ２
は、
左右スピーカ５１，５２及びランプ類６１〜６５を制御し
【００３５】
　第１周辺制御部ＳＣ１のＲＯＭには、主制御部ＭＣからの送信コマンドを受信して演出制御を担う演出プログラムを格納していると共に、同ＲＯＭ及びＲＡＭにより、
演出装置７０での実行中の演出を識別する演出識別情報と
遊技者操作スイッチ３０の操作情報を
外部端子板ＯＵＴからホールコンピュータ等の外部の遊技管理装置に出力させる操作情報出力手段Ｙ
（ウ）「【００５０】
　図１７に示すように、
演出番号１３の大当り表示中は
大当たりが確定的に導出された状態である
・・・
【００５５】
　図２２に示すように、
演出番号３〜１３は、主制御部ＭＣから第１周辺制御部ＳＣ１に送信される演出パターン番号２１，２２，４１〜４４，８１〜８４に応じて
決まっている
演出パターン番号は
演出識別情報であり、複数の演出番号を含む
・・・
【００５８】
　演出パターン番号８１は、大当り時に稀に選択され、予告Ａ「雨予告」の後にリーチＡ「ノーマルリーチ」に発展し、大当りを表示させる。
　演出パターン番号８２は、大当り時に低率で選択され、予告Ｂ「ミニドラム予告」の後にリーチＢ「シーソーリーチ」に発展し、大当りを表示させる。
　演出パターン番号８３は、大当り時に高率で選択され、予告Ｃ「竜巻予告」及び予告Ｄ「手配書予告」の後にリーチＣ「コンドルリーチ」に発展し、大当りを表示させる。
　
演出パターン番号８４は
予告Ｃ「竜巻予告」及び予告Ｄ「手配書予告」の後にリーチＤ「列車リーチ」に発展し、大当りを表示させる
（エ）「【００６３】
　尚、ホールコンピュータＨＣへの送信タイミングは、各演出番号の演出がオンからオフに切り替わる毎とし、
該当する演出番号とその間のボタン操作回数とを
送信する
・・・
【００６５】
　内蔵ハードディスクＨＤにインストールするアプリケーションプログラムＡＰにより、遊技機側の前記記憶エリアＸＡからの送信データをシリアルポートＳＰを介して入力し、演出番号等の演出識別情報毎に遊技者
操作情報であるボタン操作回数
（オ）「【００７０】
　図２９に示すように、遊技機側から遊技管理装置たるホールコンピュータＨＣには、
時々刻々変化し得る、遊技者操作スイッチ３０からのボタン操作オンオフ信号
ホールコンピュータＨＣ側に出力させてもよい
（カ）図２
　図２には、
第１周辺制御部ＳＣ１は、操作情報出力手段Ｙを有している
（キ）図２２
　図２２には、
演出パターン番号８４など（演出パターン番号２１，２２，４１〜４４，８１〜８４）のとき、特別図柄変動、予告、外れ表示、大当り表示を含む演出を行う
　また、上記【００５８】の「演出パターン番号８４は・・・予告Ｃ「竜巻予告」及び予告Ｄ「手配書予告」の後にリーチＤ「列車リーチ」に発展し、大当りを表示させる」との記載、上記【００５０】の「演出番号１３の大当り表示中は・・・大当たりが確定的に導出された状態である」との記載を参酌すると、図２２には、演出パターン番号８４の演出は、特別図柄変動（３）において特別図柄変動（３）を開始し、予告Ｃ「竜巻予告」（６）及び予告Ｄ「手配書予告」（７）の実行後にリーチＤ「列車リーチ」（１１）に発展し、特別図柄変動（３）が止まると、大当たりが確定的に導出された状態である大当り表示中（１３）となる点が図示されている。
　上記記載事項（ア）〜（オ）及び上記図示内容（カ）〜（キ）より、以下の事項が導かれる。
　なお、（ａ）〜（ｇ）は、本願発明の構成Ａ〜Ｇに対応した事項を示している。
（ａ）上記【００３３】には「主制御部ＭＣ・・・は、大当り抽選処理等の遊技の主制御を担う」と記載され、上記【００３２】には「主制御部ＭＣから・・・大当りの内部抽選結果等・・・の各種抽選結果に基づいて生成した演出パターンコマンドを・・・送信・・・し」と記載され、上記【００５５】には「演出番号３〜１３は、主制御部ＭＣから第１周辺制御部ＳＣ１に送信される演出パターン番号２１，２２，４１〜４４，８１〜８４に応じて・・・決まっている」と記載され、図２２には、演出パターン番号８４など（演出パターン番号２１，２２，４１〜４４，８１〜８４）のとき、特別図柄変動、予告、外れ表示、大当り表示を含む演出を行う点が図示され、上記【００３２】には「周辺制御部ＳＣ１・・・では・・・演出パターンコマンドを受信して、演出パターン番号等に従った演出制御のみを専ら受け持っている」と記載され、上記【００１９】には「パチンコ遊技機１・・・遊技中に遊技者操作を演出に関与させる左・中・右ボタン３Ｌ，３Ｃ，３Ｒから成る遊技者操作スイッチ３０を備える」と記載されているから、引用例１には、
大当り抽選処理等の遊技の主制御を担う主制御部ＭＣと、主制御部ＭＣからの大当りの内部抽選結果等の各種抽選結果に基づいて生成した演出パターンコマンドを受信し、演出パターン番号２１，２２，４１〜４４，８１〜８４に応じて決定される演出パターン番号８４などの特別図柄変動、予告、外れ表示、大当り表示を含む演出を行う第１周辺制御部ＳＣ１と、遊技中に遊技者操作を演出に関与させる左・中・右ボタン３Ｌ，３Ｃ，３Ｒから成る遊技者操作スイッチ３０と、を備えるパチンコ遊技機１
（ｂ）上記【００２０】には「演出装置７０は、カラー液晶表示器から成る画像演出部７Ａと、可動式のピストルフィギア７ｐと回転式のミニドラム７ｒとをもつ実動作演出部７Ｂとを含む」と記載され、図２には、第１周辺制御部ＳＣ１は、操作情報出力手段Ｙを有している点が図示され、上記【００３５】には「演出装置７０での実行中の演出を識別する演出識別情報と・・・遊技者操作スイッチ３０の操作情報を・・・外部端子板ＯＵＴからホールコンピュータ等の外部の遊技管理装置に出力させる操作情報出力手段Ｙ」と記載され、上記【００５５】には「演出パターン番号は・・・演出識別情報であり、複数の演出番号を含む」と記載され、上記【００６３】には「演出番号とその間のボタン操作回数とを・・・送信する」と記載され、上記【００６５】には「操作情報であるボタン操作回数」と記載され、上記【００３４】には「第２周辺制御部ＳＣ２・・・は、・・・左右スピーカ５１，５２及びランプ類６１〜６５を制御し」と記載されているから、引用例１には、
演出装置７０は、カラー液晶表示器から成る画像演出部７Ａと、可動式のピストルフィギア７ｐと回転式のミニドラム７ｒとをもつ実動作演出部７Ｂとを含み、第１周辺制御部ＳＣ１は、演出装置７０での実行中の演出を識別する演出識別情報である演出パターン番号の演出番号と、遊技者操作スイッチ３０の操作情報であるボタン操作回数を、外部端子板ＯＵＴからホールコンピュータ等の外部の遊技管理装置に出力させる操作情報出力手段Ｙを有し、第２周辺制御部ＳＣ２は、左右スピーカ５１，５２及びランプ類６１〜６５を制御し
（ｃ、ｄ、ｅ）　図２２には、演出パターン番号８４の演出は、特別図柄変動（３）において特別図柄変動（３）を開始し、予告Ｃ「竜巻予告」（６）及び予告Ｄ「手配書予告」（７）の実行後にリーチＤ「列車リーチ」（１１）に発展し、特別図柄変動（３）が止まると、大当たりが確定的に導出された状態である大当り表示中（１３）となる点が図示され、上記【００６３】には「該当する演出番号とその間のボタン操作回数とを・・・送信する」と記載され、上記【００７０】には「時々刻々変化し得る、遊技者操作スイッチ３０からのボタン操作オンオフ信号・・・ホールコンピュータＨＣ側に出力させてもよい」と記載されているから、引用例１には、
演出パターン番号８４の演出は、特別図柄変動（３）において特別図柄変動（３）を開始し、予告Ｃ「竜巻予告」（６）及び予告Ｄ「手配書予告」（７）の実行後にリーチＤ「列車リーチ」（１１）に発展し、特別図柄変動（３）が止まると、大当たりが確定的に導出された状態である大当り表示中（１３）となり、ボタン操作回数は時々刻々変化し得る遊技者操作スイッチ３０からのボタン操作オンオフ信号に対応する該当する演出番号の間のボタン操作回数である
（ｇ）上記【００１９】には「パチンコ遊技機１」と記載されている。
　上記記載事項（ア）〜（オ）、上記図示内容（カ）〜（キ）及び上記（ａ）〜（ｇ）の認定事項から、引用例１には、次の発明（以下、「引用発明１」という。）が記載されていると認められる（ａ〜ｇは、発明の構成を分説するため当審で付与した。）。
「ａ　大当り抽選処理等の遊技の主制御を担う主制御部ＭＣと、主制御部ＭＣからの大当りの内部抽選結果等の各種抽選結果に基づいて生成した演出パターンコマンドを受信し、演出パターン番号２１，２２，４１〜４４，８１〜８４に応じて決定される演出パターン番号８４などの特別図柄変動、予告、外れ表示、大当り表示を含む演出を行う第１周辺制御部ＳＣ１と、遊技中に遊技者操作を演出に関与させる左・中・右ボタン３Ｌ，３Ｃ，３Ｒから成る遊技者操作スイッチ３０と、を備えるパチンコ遊技機１であって、
ｂ　演出装置７０は、カラー液晶表示器から成る画像演出部７Ａと、可動式のピストルフィギア７ｐと回転式のミニドラム７ｒとをもつ実動作演出部７Ｂとを含み、
　第１周辺制御部ＳＣ１は、演出装置７０での実行中の演出を識別する演出識別情報である演出パターン番号の演出番号と、遊技者操作スイッチ３０の操作情報であるボタン操作回数を、外部端子板ＯＵＴからホールコンピュータ等の外部の遊技管理装置に出力させる操作情報出力手段Ｙを有し、第２周辺制御部ＳＣ２は、左右スピーカ５１，５２及びランプ類６１〜６５を制御し、
ｃ、ｄ、ｅ　演出パターン番号８４の演出は、特別図柄変動（３）において特別図柄変動（３）を開始し、予告Ｃ「竜巻予告」（６）及び予告Ｄ「手配書予告」（７）の実行後にリーチＤ「列車リーチ」（１１）に発展し、特別図柄変動（３）が止まると、大当たりが確定的に導出された状態である大当り表示中（１３）となり、ボタン操作回数は時々刻々変化し得る遊技者操作スイッチ３０からのボタン操作オンオフ信号に対応する該当する演出番号の間のボタン操作回数である 
ｇ  パチンコ遊技機１」
２　引用例２
　当審における拒絶の理由（平成３０年１０月１７日付け拒絶理由通知書）に引用例２として引用された本願の出願日前に頒布された特開２０１１−２０６４６８号公報（以下「引用例２」という。）には、図面とともに次の事項が記載されている。
（ア）「【背景技術】
【０００２】
　遊技機の制御基板に実装されたＣＰＵは様々な処理を行うので、他の制御素子（電子部品）に比べて発熱し易い。近年では、液晶表示装置による演出の高度化・複雑化から、その液晶表示装置を制御する画像制御基板のＣＰＵ（ＧＰＵ）の処理数が増加している。これに伴って、画像制御基板のＣＰＵに必要なクロック周波数が大きくなるので、画像制御基板のＣＰＵによる発熱作用も大きくなる。この結果、画像制御基板、特にＣＰＵ自体が過熱（オーバーヒート）状態になる。このように画像制御基板のＣＰＵが過熱状態になると、ＣＰＵや他の制御素子等が誤作動し、遊技機の演出の中心的な役割を果たす液晶表示装置の演出に不具合が生じる。また、この過熱状態が続くと、ＣＰＵが焼き付いて再利用不可能になると共に、周辺の制御基板に悪影響を与える。
【０００３】
　このような不具合等を防止すべく、ＣＰＵが実装された制御基板に、冷却フィンが一体化されたカバー部材と、温度センサとが設置された遊技機がある。冷却フィンは、小型モータと当該小型モータの回転軸に接続された回転翼とを備えており、検出温度の範囲と回転翼の回転速度とが対応付けられているので、温度センサの検出温度に応じて回転翼（小型モータの回転軸）の回転速度が変化する（例えば、特許文献１参照）。例えば、検出温度が２５℃未満では回転翼の回転速度を０ｒｐｍ．とし（回転翼を停止させ）、２５℃以上３０℃未満では回転速度を１８０ｒｐｍ．とし、３０℃以上では３６０ｒｐｍ．とする。このように、ＣＰＵを空冷することによってＣＰＵの過熱を抑えることで、演出等の不具合が防止されている。
・・・
【発明が解決しようとする課題】
【０００５】
　しかしながら、この場合、冷却ファンの故障や、冷却ファンの回転翼への異物の挿入等によって、冷却ファンが作動しなくなると、ＣＰＵ等の電子部品の過熱を抑えることができなくなり、電子部品が故障してしまう。
【０００６】
　本発明の目的は、上記の背景を鑑みて、電子部品の過熱を抑える遊技機を提供することである。
・・・
【００１５】
【図１】本実施形態の遊技機の正面図である。
【図２】図１の遊技機の背面図である。
【図３】制御手段のブロック図である。
【図４】（ａ）は図３の画像制御基板のブロック図、（ｂ）は図４（ａ）の冷却装置の斜視図である。
【図５】主制御基板におけるメイン処理を示すフローチャートである。
【図６】主制御基板におけるタイマ割込処理を示すフローチャートである。
【図７】主制御基板における入力制御処理を示すフローチャートである。
【図８】主制御基板における特図特電制御処理を示すフローチャートである。
【図９】演出制御基板におけるメイン処理を示すフローチャートである。
【図１０】演出制御基板におけるタイマ割込処理を示すフローチャートである。
【図１１】演出制御基板におけるコマンド受信処理を示すフローチャートである。
【図１２】（ａ）は、演出制御基板における警告演出実行処理を示すフローチャート、（ｂ）は演出制御基板における警告演出終了処理を示すフローチャートである。
【図１３】演出制御基板における電断エラー報知処理を示すフローチャートである
【図１４】演出制御基板における警告演出継続判定処理を示すフローチャートである。
【図１５】画像制御基板におけるメイン処理を示すフローチャートである。
【図１６】画像制御基板におけるタイマ割込処理を示すフローチャートである。
【図１７】画像制御基板における入力制御処理を示すフローチャートである。
【図１８】画像制御基板における温度管理制御処理を示すフローチャートである
【発明を実施するための形態】
・・・
【００１７】
　
遊技機１
（イ）「【００２９】
　
画像出力装置１３には
画像が表示される。そのなかでも高い頻度で行われる演出は
特別図柄の抽選に対応して行われる抽選演出である
（ウ）「【００５１】
　
ランプ制御基板１０４は
演出用照明装置１６を点灯制御し
また、演出用役物装置１５を作動させるソレノイドやモータ等の駆動源を通電制御する
・・・
【００５３】
　
画像制御基板１０５の統括部１０５Ａは、
画像出力装置１３に表示される画像及び音声出力装置１７から出力される音声の全体的な制御を行う
・・・
【００５９】
　なお、
画像ＣＰＵ１０５Ｂａは、画像出力装置１３に対して
装飾図柄表示処理
など各種画像処理を実行する
・・・
【００６３】
　
演出情報出力端子板１１０は、画像ＣＰＵ１０５Ｂａが過熱状態になったことを示す画像制御基板温度エラー信号をホールコンピュータに出力するための中継的な基板である
（エ）「【０１３３】
（ステップＳ１２２２−２）
　
画像制御基板温度エラー信号を演出情報出力端子板１１０に送信する
（オ）「【０１６６】
　本実施の形態では、
第１閾値は、画像ＣＰＵ１０５Ｂａの耐熱限界温度（本実施の形態においては１１５℃）
【０１６７】
（ステップＳ２２１８−３）
　当該検知温度が、予め設定された
第２閾値（本実施の形態においては１１０℃）
・・・
【０１７２】
（ステップＳ２２１８−８）
　
警告演出指定コマンド
このコマンドは演出制御基板１０２に送信
警告演出指定コマンドが演出制御基板１０２に送信される
当該検知温度が第２閾値以上
になり、警告演出を行う必要になった
・・・
【０１７８】
　さらに、
画像制御基板１０５
【０１７９】
　また、
温度検知センサ５０が検知した温度が第１閾値より低い第２閾値に達すると、画像ＣＰＵ１０５Ｂａの温度が耐熱限界温度に近い
ことが報知
される
温度検知センサ５０が検知した温度が第２閾値に達した際に、そのことを示す信号を
ホールコンピュータにも送信する
（カ）図１８
　上記【０１７８】の「画像制御基板１０５」との記載、上記【００１５】の「【図１８】画像制御基板における温度管理制御処理を示すフローチャートである」との記載、上記【０１７９】の「温度検知センサ５０が検知した温度が第１閾値より低い第２閾値に達すると、画像ＣＰＵ１０５Ｂａの温度が耐熱限界温度に近い・・・ことが報知・・・される」との記載、上記【０１６６】の「第１閾値は、画像ＣＰＵ１０５Ｂａの耐熱限界温度（本実施の形態においては１１５℃）」との記載、上記【０１６７】の「第２閾値（本実施の形態においては１１０℃）」との記載、上記【０１７２】の「（ステップＳ２２１８−８）　警告演出指定コマンド・・・このコマンドは演出制御基板１０２に送信・・・警告演出指定コマンドが演出制御基板１０２に送信される・・・当該検知温度が第２閾値以上・・・になり、警告演出を行う必要になった」との記載を参酌すると、図１８には、Ｓ２２１８−８があるので、図１８には、
画像制御基板１０５は、温度検知センサ５０が検知した画像ＣＰＵ１０５Ｂａの温度が第１閾値（耐熱限界温度。１１５℃）より低い第２閾値（１１０℃）に達すると、警告演出指定コマンドを演出制御基板１０２に送信する
（キ）図１３
　上記【０１７２】の「演出制御基板１０２」との記載、上記【００１５】の「【図１３】演出制御基板における電断エラー報知処理を示すフローチャートである」との記載、上記【０１３３】の「（ステップＳ１２２２−２）　画像制御基板温度エラー信号を演出情報出力端子板１１０に送信する」との記載、上記【００６３】の「演出情報出力端子板１１０は、画像ＣＰＵ１０５Ｂａが過熱状態になったことを示す画像制御基板温度エラー信号をホールコンピュータに出力するための中継的な基板である」との記載、上記【０１７９】の「温度検知センサ５０が検知した温度が第２閾値に達した際に、そのことを示す信号を・・・ホールコンピュータにも送信する」との記載を参酌すると、図１３には、ステップＳ１２２２−２があるので、図１３には、
演出制御基板１０２は、画像ＣＰＵ１０５Ｂａの温度が第２閾値に達したことを示す信号をホールコンピュータに送信する
　上記記載事項（ア）〜（オ）及び上記図示内容（カ）〜（キ）より、以下の事項が導かれる。
　上記【００５１】には「ランプ制御基板１０４は・・・演出用照明装置１６を点灯制御し・・・また、演出用役物装置１５を作動させるソレノイドやモータ等の駆動源を通電制御する」と記載され、上記【００５３】には「画像制御基板１０５の統括部１０５Ａは、・・・画像出力装置１３に表示される画像及び音声出力装置１７から出力される音声の全体的な制御を行う」と記載され、上記【００５９】には「画像ＣＰＵ１０５Ｂａは、画像出力装置１３に対して・・・装飾図柄表示処理・・・など各種画像処理を実行する」と記載され、上記【００２９】には「画像出力装置１３には・・・画像が表示される。そのなかでも高い頻度で行われる演出は・・・特別図柄の抽選に対応して行われる抽選演出である」と記載され、図１８には、画像制御基板１０５は、温度検知センサ５０が検知した画像ＣＰＵ１０５Ｂａの温度が第１閾値（耐熱限界温度。１１５℃）より低い第２閾値（１１０℃）に達すると、警告演出指定コマンドを演出制御基板１０２に送信する点が図示され、図１３には、演出制御基板１０２は、画像ＣＰＵ１０５Ｂａの温度が第２閾値に達したことを示す信号をホールコンピュータに送信する点が図示され、上記【００１７】には「遊技機１」と記載されているから、引用例２には、
ランプ制御基板１０４は、演出用照明装置１６の点灯制御と、演出用役物装置１５を作動させるソレノイドやモータ等の駆動源の通電制御をし、画像制御基板１０５の統括部１０５Ａは、画像出力装置１３に表示される画像及び音声出力装置１７から出力される音声の全体的な制御を行い、画像ＣＰＵ１０５Ｂａは、特別図柄の抽選に対応して行われる抽選演出が高い頻度で行われる画像出力装置１３に対して、装飾図柄表示処理など各種画像処理を実行するものであり、画像制御基板１０５は、温度検知センサ５０が検知した画像ＣＰＵ１０５Ｂａの温度が第１閾値（耐熱限界温度。１１５℃）より低い第２閾値（１１０℃）に達すると、警告演出指定コマンドを演出制御基板１０２に送信し、演出制御基板１０２は、画像ＣＰＵ１０５Ｂａの温度が第２閾値に達したことを示す信号をホールコンピュータに送信する遊技機１
　上記記載事項（ア）〜（オ）、上記図示内容（カ）〜（キ）及び上記認定事項から、引用例２には、次の発明（以下、「引用発明２」という。）が記載されていると認められる。
「ランプ制御基板１０４は、演出用照明装置１６の点灯制御と、演出用役物装置１５を作動させるソレノイドやモータ等の駆動源の通電制御をし、画像制御基板１０５の統括部１０５Ａは、画像出力装置１３に表示される画像及び音声出力装置１７から出力される音声の全体的な制御を行い、
　画像ＣＰＵ１０５Ｂａは、特別図柄の抽選に対応して行われる抽選演出が高い頻度で行われる画像出力装置１３に対して、装飾図柄表示処理など各種画像処理を実行するものであり、
　画像制御基板１０５は、温度検知センサ５０が検知した画像ＣＰＵ１０５Ｂａの温度が第１閾値（耐熱限界温度。１１５℃）より低い第２閾値（１１０℃）に達すると、警告演出指定コマンドを演出制御基板１０２に送信し、演出制御基板１０２は、画像ＣＰＵ１０５Ｂａの温度が第２閾値に達したことを示す信号をホールコンピュータに送信する遊技機１。」
第５　対比
　本願発明と引用発明１とを対比する。
（ａ）引用発明１の「大当り抽選処理等の遊技の主制御を担う主制御部ＭＣ」は、遊技の主制御を担っているので、遊技を統括的に制御しているといえるから、本願発明の「遊技を統括的に制御する主制御手段」に相当する。
　また、引用発明１の「特別図柄変動、予告、外れ表示、大当り表示を含む演出」は、変動表示ゲームを実行するときに行う演出であるから、引用発明１の「主制御部ＭＣからの大当りの内部抽選結果等の各種抽選結果に基づいて生成した演出パターンコマンドを受信し、演出パターン番号２１，２２，４１〜４４，８１〜８４に応じて決定される演出パターン番号８４などの特別図柄変動、予告、外れ表示、大当り表示を含む演出を行う第１周辺制御部ＳＣ１」は、本願発明の「該主制御手段から送信される制御指令に基づいて演出態様を決定して変動表示ゲームを実行する従制御手段」に相当する。
　そして、引用発明１の「遊技中に遊技者操作を演出に関与させる左・中・右ボタン３Ｌ，３Ｃ，３Ｒから成る遊技者操作スイッチ３０」及び「パチンコ遊技機１」は、それぞれ、本願発明の「遊技者が操作可能な操作手段」及び「遊技機」に相当する。
　したがって、引用発明１の「大当り抽選処理等の遊技の主制御を担う主制御部ＭＣと、主制御部ＭＣからの大当りの内部抽選結果等の各種抽選結果に基づいて生成した演出パターンコマンドを受信し、演出パターン番号２１，２２，４１〜４４，８１〜８４に応じて決定される演出パターン番号８４などの特別図柄変動、予告、外れ表示、大当り表示を含む演出を行う第１周辺制御部ＳＣ１と、遊技中に遊技者操作を演出に関与させる左・中・右ボタン３Ｌ，３Ｃ，３Ｒから成る遊技者操作スイッチ３０と、を備えるパチンコ遊技機１」は、
　本願発明の「遊技を統括的に制御する主制御手段と、該主制御手段から送信される制御指令に基づいて演出態様を決定して変動表示ゲームを実行する従制御手段と、遊技者が操作可能な操作手段と、を備える遊技機」に相当する。
（ｂ）引用発明１の「ホールコンピュータ等の外部の遊技管理装置」は、本願発明の「外部装置」に相当する。
　また、引用発明１の「演出装置７０での実行中の演出を識別する演出識別情報である演出パターン番号」、「演出番号」及び「遊技者操作スイッチ３０の操作情報であるボタン操作回数」は、本願発明の「情報」に相当する。
　したがって、引用発明１の「演出装置７０は、カラー液晶表示器から成る画像演出部７Ａと、可動式のピストルフィギア７ｐと回転式のミニドラム７ｒとをもつ実動作演出部７Ｂとを含み、第１周辺制御部ＳＣ１は、演出装置７０での実行中の演出を識別する演出識別情報である演出パターン番号の演出番号と、遊技者操作スイッチ３０の操作情報であるボタン操作回数を、外部端子板ＯＵＴからホールコンピュータ等の外部の遊技管理装置に出力させる操作情報出力手段Ｙを有し、第２周辺制御部ＳＣ２は、左右スピーカ５１，５２及びランプ類６１〜６５を制御し」ていることは、
　本願発明の「前記従制御手段は、外部装置に情報を伝達することが可能であ」ることに相当する特定事項を含んでいる。
（ｃ、ｄ、ｅ）引用発明１の「演出パターン番号８４」は、「特別図柄変動（３）において特別図柄変動（３）を開始し、予告Ｃ「竜巻予告」（６）及び予告Ｄ「手配書予告」（７）の実行後にリーチＤ「列車リーチ」（１１）に発展し、特別図柄変動（３）が止まると、大当たりが確定的に導出された状態である大当り表示中（１３）とな」る「演出」であるから、本願発明の「前記演出態様に関する情報」に相当する。
　また、引用発明１の「時々刻々変化し得る遊技者操作スイッチ３０からのボタン操作オンオフ信号に対応する該当する演出番号の間のボタン操作回数である」「ボタン操作回数」は、本願発明の「前記操作手段が操作されたことを示す情報」に相当する。
　そして、引用発明１の「演出パターン番号８４の演出」は、「特別図柄変動（３）が止まると、大当たりが確定的に導出された状態である大当り表示中（１３）とな」るから、「特別図柄変動（３）中」と「大当り表示中（１３）」とに分割することができると共に、「特別図柄変動（３）中」において、「予告Ｃ「竜巻予告」（６）及び予告Ｄ「手配書予告」（７）の実行後にリーチＤ「列車リーチ」（１１）に発展し、特別図柄変動（３）が止ま」るまでの期間と、「大当り表示中（１３）」の期間とに分けた場合の、各期間に対応する演出を実行するための情報を含んでいるといえるから、本願発明の「前記演出態様に関する情報には、前記変動表示ゲームを複数に分割した各期間の進行に対応する情報を含」む構成を有しているといえる。
　さらに、引用発明１の「ボタン操作回数」は「時々刻々変化し得る遊技者操作スイッチ３０からのボタン操作オンオフ信号に対応する該当する演出番号の間のボタン操作回数である」から、本願発明の「前記操作手段が操作されたことを示す情報は、前記操作手段が操作されたタイミングに対応して変化する情報であ」る構成を有している。
　しかしながら、引用発明１には「演出による当該遊技機への負荷に関する情報」が含まれていない。
　したがって、引用発明１の「演出パターン番号８４の演出は、特別図柄変動（３）を開始し、特別図柄変動（３）中において、予告Ｃ「竜巻予告」（６）及び予告Ｄ「手配書予告」（７）の後にリーチＤ「列車リーチ」（１１）に発展し、特別図柄変動（３）が終了すると、大当り（１３）を表示させるものであり、ボタン操作回数は時々刻々変化し得る遊技者操作スイッチ３０からのボタン操作オンオフ信号に対応する該当する演出番号の間のボタン操作回数である」ことは、
　本願発明の「前記情報には、少なくとも前記演出態様に関する情報と、前記操作手段が操作されたことを示す情報と、演出による当該遊技機への負荷に関する情報と、を含み、前記演出態様に関する情報には、前記変動表示ゲームを複数に分割した各期間の進行に対応する情報を含み、前記操作手段が操作されたことを示す情報は、前記操作手段が操作されたタイミングに対応して変化する情報であ」ることと、「前記情報には、少なくとも前記演出態様に関する情報と、前記操作手段が操作されたことを示す情報と、」「を含み、前記演出態様に関する情報には、前記変動表示ゲームを複数に分割した各期間の進行に対応する情報を含み、前記操作手段が操作されたことを示す情報は、前記操作手段が操作されたタイミングに対応して変化する情報であ」る点で共通している。
（ｇ）引用発明１の「パチンコ遊技機１」と本願発明の「遊技機」とは、共に「遊技機」である点で一致する。
　上記（ａ）〜（ｇ）から、本願発明と引用発明１とは、
［一致点］
 である点で一致し、以下の点で相違する。  
「Ａ　遊技を統括的に制御する主制御手段と、該主制御手段から送信される制御指令に基づいて演出態様を決定して変動表示ゲームを実行する従制御手段と、遊技者が操作可能な操作手段と、を備える遊技機であって、
Ｂ　前記従制御手段は、外部装置に情報を伝達することが可能であり、
Ｃ’　前記情報には、少なくとも前記演出態様に関する情報と、前記操作手段が操作されたことを示す情報と、を含み、
Ｄ　前記演出態様に関する情報には、前記変動表示ゲームを複数に分割した各期間の進行に対応する情報を含み、
Ｅ　前記操作手段が操作されたことを示す情報は、前記操作手段が操作されたタイミングに対応して変化する情報である
Ｇ　遊技機。」
 である点で一致し、以下の点で相違する。  
［相違点１］（特定事項Ｃ）
　「少なくとも前記演出態様に関する情報と、前記操作手段が操作されたことを示す情報と、」「を含」む「前記情報」に関して、  
　本願発明は「演出による当該遊技機への負荷に関する情報」「を含」むのに対して、
　引用発明１は、そのような構成でない点。 
  
［相違点２］（特定事項Ｆ） 
　本願発明は「前記演出による当該遊技機への負荷に関する情報は、負荷に関する複数のパラメータ毎に独立した情報である」のに対して、
　引用発明１は、そのような構成でない点。 
  
以下、上記相違点について検討する。  
  
１　相違点１〜２について 
　相違点１〜２は、遊技機から外部装置に伝達される負荷に関する情報についてのものであって、互いに関連するのでまとめて検討する。 
 　 
　上記第４　２において既に検討したように、引用例２には次の引用発明２が記載されている。
「ランプ制御基板１０４は、演出用照明装置１６の点灯制御と、演出用役物装置１５を作動させるソレノイドやモータ等の駆動源の通電制御をし、
　画像制御基板１０５の統括部１０５Ａは、画像出力装置１３に表示される画像及び音声出力装置１７から出力される音声の全体的な制御を行い、
　画像ＣＰＵ１０５Ｂａは、特別図柄の抽選に対応して行われる抽選演出が高い頻度で行われる画像出力装置１３に対して、装飾図柄表示処理など各種画像処理を実行するものであり、
　画像制御基板１０５は、温度検知センサ５０が検知した画像ＣＰＵ１０５Ｂａの温度が第１閾値（耐熱限界温度。１１５℃）より低い第２閾値（１１０℃）に達すると、警告演出指定コマンドを演出制御基板１０２に送信し、演出制御基板１０２は、画像ＣＰＵ１０５Ｂａの温度が第２閾値に達したことを示す信号をホールコンピュータに送信する遊技機１。」
　ここで、引用発明２の「画像制御基板１０５」、「ホールコンピュータ」及び「遊技機１」は、それぞれ、本願発明の「従制御手段」、「外部装置」及び「遊技機」に相当する。
　また、引用発明２の「画像ＣＰＵ１０５Ｂａ」は、「特別図柄の抽選に対応して行われる抽選演出が高い頻度で行われる画像出力装置１３に対して、装飾図柄表示処理など各種画像処理を実行するものであ」るから、引用発明２の「温度検知センサ５０が検知した画像ＣＰＵ１０５Ｂａの温度が第１閾値（耐熱限界温度。１１５℃）より低い第２閾値（１１０℃）に達する」こと、及び「画像ＣＰＵ１０５Ｂａの温度が第２閾値に達したこと」は、本願発明の「演出による当該遊技機への負荷に関する情報」に相当すると共に、本願発明と「負荷に関する」「パラメータ」の「情報」である点で共通している。
　これらのことから、引用発明２が「従制御手段は、外部装置に情報を伝達することが可能であり、前記情報には、」「演出による当該遊技機への負荷に関する情報と、を含み、」「前記演出による当該遊技機への負荷に関する情報は、負荷に関するパラメータの情報である」「遊技機」の発明であるといえる。
　そして、引用発明１のカラー液晶表示器から成る画像演出部７Ａ、可動式のピストルフィギア７ｐ、回転式のミニドラム７ｒ、左右スピーカ５１，５２及びランプ類６１〜６５は、それぞれ演出装置であり、引用発明２の画像出力装置１３、演出用役物装置１５、演出用照明装置１６、音声出力装置１７も、それぞれ演出装置であり、引用発明１及び引用発明２のこれらの複数の演出装置が、演出を実行することにより遊技機に負荷を与えることは明らかである。
　また、遊技機において、複数の異なる対象の温度をそれぞれ測定することは、特開２００５−１３７４７４号公報（【０００１】、【００４９】には、サーミスタ１２２を設置して、演出用ランプ１０３ａ，１０４ａ，１０４ｂやサイドランプ１０６等の駆動に起因して変化する温度を対象毎に夫々算出（検出）し、複数の検出温度ｔを夫々規定値と比較し、これらの内のいずれかが規定値に達した（規定値以上になった）と判定した時点で、その結果を信号出力手段１１４に出力する遊技機が記載されている。また、【００５７】には、発熱要素の発熱で温度上昇したとしても規定値に達した時点で然るべき安全移行処理を施されることになり、従って、規定値を大きく超えて異常発熱状態になるような不具合の発生を確実に回避でき、これにより、電子部品等に対する温度上昇時の悪影響を確実に回避することができることが記載されている。）、特開２０１１−２０４号公報（【００４５】、【００５５】、図３には、演出装置２００（垂直可動部材２０２と水平可動部材２０４）の左モータ２４０、右モータ２４２、上モータ２４４、および下モータ２４６における温度を個別に検出することが記載されている。また、【０１２１】には、役物Ａを駆動するモータの温度が所定温度以上になったことを検出すること、及び、役物Ｂを駆動するモータの温度が所定温度以上になったことを検出することが記載されている。さらに、役物Ａ（または役物Ｂ）の発熱時に役物Ａ（または役物Ｂ）の動作を伴わない演出（モータの温度が所定温度以上になった一方の役物以外の他方の役物の動作を伴う演出）だけを実行させることによって、役物を駆動するモータを休止させてモータの温度を下げるように構成していることが記載されている。そして、【０１６６】には、可動部材と駆動手段を複数備えている場合でも、一部の駆動手段の負荷を減らしながら、同時に、他の駆動手段を継続して動作させることができるので、遊技者に違和感や不信感を感じさせることなく（遊技者に気づかれずに）、発熱時において駆動手段の負荷を減らし、駆動手段の発熱に伴う故障や不具合を未然に防止することができることが記載されている。）、特開平９−１５２５７５号公報（【００１４】には、液晶パネル３に直接又はその近傍に設けられた第３の温度センサ５ｂと上記光源６の近傍に設けられた第４の温度センサ５ｃとを備え、上記光源６及び液晶パネル３の異常温度を検出する第２の温度検出回路４ａと、該第２の温度検出回路４ａが異常温度を検出した際に冷却装置２および光源６等への電力供給を遮断することが記載されている。また、【００１８】には、何らかの不具合により液晶パネル３又は光源６の温度がより上昇した場合には、第３又は第４の温度センサ５ｂ，５ｃを介して第２の温度検出回路４ａがオンオフスイッチ８ａを介して電源端子７から駆動回路１を遮断すべく駆動して光源６への電力供給は完全に停止し、液晶パネル３又は光源６の破壊を防止することができることが記載されている。）に記載されているように周知であり、温度は負荷に関するパラメータであるといえるから、複数の負荷に関するパラメータをそれぞれ独立して扱うことは、周知技術であるといえる。
　そして、引用発明１と引用発明２とは、共に従制御装置が外部装置（ホールコンピュータ）に情報を伝達する遊技機の技術であり、技術分野及び機能が共通している。 
　それに、引用発明２は、演出等の不具合を防止するために、電子部品の過熱を抑えるという課題を有し、上記課題の下に画像ＣＰＵ１０５Ｂａの過熱を防止する発明である。
　さらに、引用発明２は、画像出力装置１３だけでなく、演出用役物装置１５（を作動させるソレノイドやモータ等）、演出用照明装置１６、音声出力装置１７という複数の演出装置を有しており、これらの複数の演出装置も、演出等の不具合を防止するために、電子部品の過熱を抑えるという課題を内在していることは、明らかである。
　しかも、引用発明１も「カラー液晶表示器から成る画像演出部７Ａと、可動式のピストルフィギア７ｐと回転式のミニドラム７ｒとをもつ実動作演出部７Ｂとを含む」「演出装置７０」、及び「左右スピーカ５１，５２及びランプ類６１〜６５」という複数の演出装置を有しているから、引用発明２と同様に、演出等の不具合を防止するために、電子部品の過熱を抑えるという課題を内在していることは、明らかである。
　これらのことから、引用発明１の「パチンコ遊技機１」の「第１周辺制御部ＳＣ１」（従制御手段）に、引用発明２を適用することは、容易である。
　また、引用発明１に引用発明２を適用する際に、複数の負荷に関するパラメータをそれぞれ独立して扱うという上記周知技術を考慮することに、何ら困難性は認められない。
　したがって、引用発明１の「パチンコ遊技機１」に引用発明２及び上記周知技術を適用して、上記相違点１〜２に係る本願発明の構成とすることは、当業者が容易になし得たことである。 
　また、本願発明の作用効果も、引用発明１〜２及び周知技術から当業者が予測できる範囲のものである。
  
第６　請求人の主張について 
　審判請求人は、平成３０年１２月１４日付け意見書において、次のとおり主張している。  
「しかし、本願発明１と各引用文献とは、少なくとも以下の構成で異なります。
　即ち本願発明１は、
　「前記従制御手段は、外部装置に情報を伝達することが可能であり、
　前記情報には、少なくとも前記演出態様に関する情報と、前記操作手段が操作されたことを示す情報と、演出による当該遊技機への負荷に関する情報と、を含み、
　前記演出態様に関する情報には、前記変動表示ゲームを複数に分割した各期間の進行に対応する情報を含み、
　前記操作手段が操作されたことを示す情報は、前記操作手段が操作されたタイミングに対応して変化する情報であり、」という特徴Ａに加えて、
　「前記演出による当該遊技機への負荷に関する情報は、負荷に関する複数のパラメータ毎に独立した情報である」という特徴Ｂを有します。
　本願発明１は、既述したように、上記特徴Ａと特徴Ｂを含む構成により優れた各種効果を実現します。特に、特徴Ｂによれば、遊技機に掛かる負荷に関する情報を、影響するパラメータ毎に外部に出力可能であるため、演出制御装置等の発熱等に異常が発生した場合に原因を特定しやすくなり、的確な対応をしやすくなる効果が得られます。
　これに対して各引用文献には、少なくとも上記特徴Ｂを明示又は示唆する記載が見当たりません。
　なお、引用文献２には、演出による遊技機への負荷に影響を受ける画像ＣＰＵの温度に関する情報を外部出力することが記載されていますが、この引用文献２に開示された構成は、画像ＣＰＵの温度のみを監視するもの（即ち、負荷をトータルに監視するもの）であって上記特徴Ｂを有する本願発明１とは異なるため、例えば異常な発熱が生じた場合に、異常な温度上昇を検知できるのみであり、本願発明１のように負荷に関する複数のパラメータのうちの何れに問題があるかを判別して原因を特定することはできません。
　このため、各引用文献に記載された構成を組み合わせることができたとしても、本願発明１の構成及び効果を実現することはできません。」
　しかしながら、上記「１　相違点１〜２について」において既に検討したように、引用発明１，２の遊技機においても、演出により遊技機に負荷を与える部材が複数あることは明らかであり、引用発明１に引用発明２を適用する際に、複数の負荷に関するパラメータをそれぞれ独立して扱うという上記周知技術を考慮して、上記相違点１〜２に係る本願発明の構成とすることは、当業者が容易になし得たことである。
　また、負荷に関する複数のパラメータのうちの何れに問題があるかを判別して原因を特定することはできるという効果は、上記周知技術が有する自明の効果にすぎない。
　したがって、引用発明１の「パチンコ遊技機１」に引用発明２及び上記周知技術を適用して、上記相違点１〜２に係る本願発明の構成とすることは、当業者が容易になし得たことであるから、請求人の主張を採用することはできない。
第７　むすび
　以上のとおり、本願発明は、引用発明１〜２及び上記周知技術に基づいて当業者が容易に発明することができたものであるから、特許法第２９条第２項の規定により特許を受けることができないものである。
　したがって、その余の請求項について検討するまでもなく、本願は拒絶すべきものである。
　よって、結論のとおり審決する。